(57)【要約】【課題】  包装体の装着が可能で蓋を開けずに添加物の注入ができ、添加物消費後の後片付けが不要な蓋体を提供する。求めに応じた種類の添加物を収容している蓋体の即時提供が可能な包装体付き蓋体を提供する。【解決手段】  蓋体Ａは、天板１に切線２と、その両側に一対のフラップ４，４´とが設けられ、フラップは折曲げ破断開封式の包装体Ｂの基板８を接合できる。包装体付き蓋体は、上記蓋体Ａに折曲げ破断開封式の包装体Ｂを予め一体的に装着してなっている。【選択図】    図６
2005047539.tif 000002
【特許請求の範囲】
【請求項１】
天板に切線等と、その切線等を境として両側に一対のフラップとが設けられており、前記フラップは、これに基板の一方の面に可撓性合成樹脂シートの周縁を接合して基板との間に添加物を収容した袋を形成し、前記基板の中央に形成された破断線に沿ってＶ字形に折曲げると、前記基板が破断線に沿って破断して開封され、かつ、前記袋内の添加物が注出される折曲げ破断開封式の包装体の前記基板を固定可能であることを特徴とする蓋体。
【請求項２】
両フラップに包装体の基板を固定するため、両フラップに所要の高さを有する凸部が設けられ、その凸部の上面に包装体の基板を接着又は溶着等により接合することができることを特徴とする請求項１に記載された蓋体。
【請求項３】
両フラップに包装体の基板を固定するため、両フラップに凸部が設けられ、その凸部の両端部に包装体の基板の互いに反対側の端縁を係止する係止部が設けられていることを特徴とする請求項１に記載された蓋体。
【請求項４】
天板の凸部は、これに固定される包装体の基板の端縁と前記天板との間に指先を挿入して、その基板の両端部を基板の折曲げのために引き上げることができる高さを有することを特徴とする請求項２又は３に記載された蓋体。
【請求項５】
蓋体の天板に、切線等と、その切線等を境として両側に一対のフラップ又はそれぞれ凸部を有する一対のフラップとが設けられており、基板の一方の面に可撓性シートの周縁を接合して基板との間に添加物を収容した袋を形成し、前記基板の中央に形成された破断線に沿ってＶ字形に折曲げると、前記基板が破断線に沿って破断して開封され、かつ、前記袋内の添加物が注出される折曲げ破断開封式の包装体が、前記破断線を前記蓋体の切線等に対向させた状態で、前記破断線の両側部分における前記基板を前記各フラップ又はそのフラップに設けてある場合の凸部に固定することにより、前記天板に一体的に備えてあることを特徴とする包装体付き蓋体。
【請求項６】
天板の凸部は、これに接合された折曲げ破断開封式の包装体の基板の端縁と前記天板との間に指先を挿入して、その基板の両端部を基板の折曲げのために引き上げることができる高さを有することを特徴とする請求項５に記載された包装体付き蓋体。
【発明の詳細な説明】
【技術分野】
【０００１】
本発明は、添加物を収容している包装体（本明細書ではこれを単に包装体という。）を添加物の注出が容易にできるように備えることができる蓋体及び包装体を予め一体に備えていて容易に開封して添加物の注出が可能な包装体付き蓋体に関する。
【背景技術】
【０００２】
ファストフード店やビュッフェ等で、客に飲食物を使い捨て容器（カップ等）に入れて提供する時は、その飲食物用の添加物を収容している包装体が一緒に提供される場合がある。飲食物を入れた容器が移動される時にその飲食物が零れることを防ぐため、容器に蓋を閉めた状態で提供されることが多い。
【０００３】
包装体が提供される形態には、（ａ）蓋から独立して作られた包装体が蓋から分離された状態で提供される場合と、（ｂ）蓋から独立して作られた包装体が蓋の中に収容して提供される場合と、（ｃ）包装体が蓋と一体に形成されている場合（特許文献１〜５参照）とがある。
【特許文献１】特開平    ７−１０１７１号公報
【特許文献２】特開平    ９−  ２５１６号公報
【特許文献３】特開平    ９−３０１４１９号公報
【特許文献４】特開２００１−２７０５４６号公報
【特許文献５】特開２００２−１７９１７４号公報
【発明の開示】
【発明が解決しようとする課題】
【０００４】
（ａ）の別体の包装体を用いる場合は、容器から蓋を外した後、包装体を開封注出して添加物を容器の中に注入するが、その開封作業中に、テーブルの上などに置かれている容器に接触してこれを転倒させ、飲食物を零してしまうことがあり、また、包装体から添加物を容器の中に常に旨く注入できるとは限らず、容器の外に注出してしまうこともある。また、添加物注出後の空になった包装体又は添加物が残留している包装体がゴミとなり、テーブル上の放置・散乱、又は、残留添加物の漏出によるテーブル汚染などの店内環境悪化の原因となり、店側は客が退出した後のゴミの後片付けや清掃に手間がかかる。
【０００５】
そのため、包装体を保持する機能を有する蓋体の出現が待望されたことから、上記（ｂ）と（ｃ）の提供形態に発展したが、（ｂ）の場合は、まず容器から蓋を外して、その蓋の中から包装体を取り出し、その後に包装体の開封注出作業を行うので、（ａ）の場合と同様の問題点がある。また、（ａ）（ｂ）のいずれの場合も、添加物注入後に容器の内容物と添加物を混合するためシェイクするときは、再び蓋を装着しなければならないという煩わしさがある。
一方、（ｃ）の包装体を一体に有する蓋体、すなわち、包装体付き蓋体は、上記ゴミ発生やテーブル汚染などの問題が生じない利点を有するが、従来の包装体付き蓋体は、形状が複雑であるため、製造困難及び製造コスト上昇の難点があった。さらに、包装体の開封及び添加物の注出が容易にできない、開封動作の際に容器が激しく揺らされて内容物が零れる、などの問題点があった。
【０００６】
基板の一方の面に可撓性合成樹脂シートの周縁を接合して基板とともに袋を形成し、その袋の中に添加物を密封して、基板をその長さ方向中間部分でＶ字形に折曲げることにより、基板を破断すると同時に袋を開封して、基板で押圧された袋の中の添加物を破断部分から注出させるようにした折曲げ破断開封式の包装体が、昭和６３年頃から各種知られている（特許文献６〜１０参照）。この包装体は、開封具を必要とせず、添加物の任意量の注出が可能であるという利点を有する。
【特許文献６】実開昭６３−５９８５９号公報
【特許文献７】実開昭６４−２７７６号公報
【特許文献８】実開平６−６７３６９号公報
【特許文献９】特開平３−２５６８６２号公報
【特許文献１０】特開平８−２３０９５４号公報
【特許文献１１】特開２００２−２０４６６７号公報
【０００７】
本発明は、上記の事情に鑑みてなされたものであり、その一つの課題は、製造が容易な構造を有し、既製の折曲げ破断開封式の包装体の装着が可能で、蓋を開けずに容易かつ確実に添加物の容器内への注入ができ、しかも、添加物消費後の包装体が散乱せず、後片付けが不要な蓋体を提供することにある。
【０００８】
本発明の他の課題は、蓋体に予め折曲げ破断開封式の包装体が備えられて、客の要求に対応した種類の添加物を収容している蓋体の即時提供が可能で、しかも、蓋を開けずに容易かつ確実に添加物を容器内に注入することができ、さらに、添加物消費後の包装体の後片付けが不要な包装体付き蓋体を提供することにある。
【課題を解決するための手段】
【０００９】
上記の課題を解決するため、請求項１の発明に係る蓋体は、天板に切線等と、その切線等を境として両側に一対のフラップとが設けられており、前記フラップは、これに基板の一方の面に可撓性合成樹脂シートの周縁を接合して基板との間に添加物を収容した袋を形成し、前記基板の中央に形成された破断線に沿ってＶ字形に折曲げると、前記基板が破断線に沿って破断して開封され、かつ、前記袋内の添加物が注出される折曲げ破断開封式の包装体の前記基板を固定可能であることを特徴としている。
上記構成により、容器本体に飲食物を入れて客に提供する際に、蓋体の上面に折曲げ破断開封式の包装体を収容し、その天板のフラップに包装体の基板を固定して、その蓋体に包装体を装着することができる。その容器を受け取った客は、包装体の基板の両端部を指先で引上げると、蓋体の切線で囲まれた部分も基板に追従し、さらにＶ字形に折曲げると、基板が破断線に沿って破断すると同時に袋が蓋体の切線等に向かって開封され、又は、基板が破断線に沿って破断すると同時に蓋体が切線に沿って開口され、かつ、袋がその開口に向かって開封され、包装体の添加物が容器本体の中に噴出又は注出される。
【００１０】
上記フラップには、両フラップに包装体の基板を固定するため、両フラップに所要の高さを有する凸部が設けられ、その凸部の上面に包装体の基板を接着又は溶着等により接合することができることが望ましい。
上記構成により、容器本体に飲食物を入れて客に提供する際に、蓋体の上面に折曲げ破断開封式の包装体を収容し、その天板のフラップに設けられた凸部に包装体の基板を固定して、その蓋体に包装体を装着することができる。その容器を受け取った客は、前述の場合と同様に、包装体の基板の両端部を指先で引上げ、Ｖ字形に折曲げると、基板が破断線に沿って破断すると同時に袋が開封され、包装体の添加物が容器本体の中に噴出又は注出される。
【００１１】
両フラップに包装体の基板を固定するため、両フラップに凸部が設けられ、その凸部の両端部に包装体の基板の互いに反対側の端縁を係止する係止部が設けられていることでも良い。
【００１２】
上記蓋体において、天板の凸部は、これに固定される包装体の基板の端縁と前記天板との間に指先を挿入して、その基板の両端部を基板の折曲げのために引き上げることができる高さを有することが望ましい。
このようにした場合は、蓋体に装着された包装体の基板に指先を掛けて引き上げ易くなるので、添加物の注出をワンアクションで行うことができる。
【００１３】
また、請求項５の発明に係る包装体付き蓋体は、請求項１〜４のいずれかの蓋体に上記包装体を、飲食物提供場所以外の場所で予め一体的に装着したものである。すなわち、蓋体の天板に、切線等と、その切線等を境として両側に一対のフラップ又はそれぞれ凸部を有する一対のフラップとが設けられており、基板の一方の面に可撓性シートの周縁を接合して基板との間に添加物を収容した袋を形成し、前記基板の中央に形成された破断線に沿ってＶ字形に折曲げると、前記基板が破断線に沿って破断して開封され、かつ、前記袋内の添加物が注出される折曲げ破断開封式の包装体が、前記破断線を前記蓋体の切線等に対向させた状態で、前記破断線の両側部分における前記基板を前記各フラップ又はそのフラップに設けてある場合の凸部に固定することにより、前記天板に一体的に備えてあることを特徴としている。
上記構成により、飲食物を提供する店舗では、用意してある種類の異なる添加物を収容している包装体が予め装着された複数種類の蓋体の中から、容器本体に入れて提供される飲食物に適合する、又は客の求めた添加物を収容している包装体が装着された蓋体をより出して容器本体に付けて、一つの容器として客に渡すことができる。
【発明の効果】
【００１４】
請求項１に係る本発明は、容器本体に飲食物を入れて客に提供する際に、蓋体の上面に折曲げ破断開封式の包装体を収容し、その天板のフラップに包装体の基板を固定して、その蓋体に包装体を装着することができるから、その容器を受け取った客は、包装体の基板の両端部を指先で引上げてＶ字形に折曲げて、包装体の添加物を容器本体の中に注入することができる。そして、蓋体は、製造が容易な構造を有し、既製の折曲げ破断開封式の包装体の装着が可能で、蓋を開けずに容易かつ確実に添加物の容器内への注入ができ、しかも、添加物消費後の包装体が散乱せず、後片付けやテーブルの清掃等が不要である。
【００１５】
請求項２の発明によれば、基板を凸部に固定するので、包装体の蓋体に対する固定が容易になる。
【００１６】
請求項３の発明によれば、基板の両端縁を係止部に係止して固定できるので、包装体の蓋体に対する固定が一層容易になる。
【００１７】
請求項４の発明によれば、指先を包装体の基板に容易に引っ掛けてＶ字形に起立させて包装体を開封することができる。
【００１８】
請求項５の発明によれば、客の要求に対応した種類の添加物を収容している蓋体の即時提供が可能で、しかも、蓋を開けずに容易かつ確実に添加物を容器内に注入することができ、さらに、添加物消費後の包装体の後片付けが不要な包装体付き蓋体を提供することができる。
【発明を実施するための最良の形態】
【００１９】
本発明による蓋体は、天板に切線等と、その切線等を境として両側に一対のフラップとが設けられていて、フラップは、これに周知の折曲げ破断開封式の包装体の基板を固定可能な形状又は構造を有することを特徴としている。固定手段方法は、特に限定されない。接着又は溶着、嵌着又は係止など化学的、物理的又は機械的のいずれでも良い。周知の折曲げ破断開封式の包装体とは、基板の一方の面に可撓性合成樹脂シートの周縁を接合して基板との間に添加物を収容した袋を形成し、前記基板の中央に形成された破断線に沿ってＶ字形に折曲げると、前記基板が破断線に沿って破断して開封され、かつ、前記袋内の添加物が注出されるものである。
【実施例】
【００２０】
次に、本発明の実施例について、図面に基づいて説明する。
図１は本発明に係る蓋体の一例の平面図、図２は図１のＸ−Ｘ線断面図、図３は折曲げ破断開封式の包装体の一例の正面図、図４は図１の蓋体に折曲げ破断開封式の包装体を装着した状態の平面図、図５は図４のＹ−Ｙ線断面図、図６は折曲げ破断開封式の包装体から添加物を注出する時の作用を示す断面図である。図７は本発明のさらに他の実施例を示す平面図、図８は図７のＺ−Ｚ線断面図である。
【００２１】
本発明に係る蓋体Ａは、コーヒー、紅茶、カップ麺などの飲食物を入れて提供する使い捨てカップその他の使い捨て容器に被着されるものであり、通常は薄い合成樹脂材料の成形品で作られ、可撓性を有している。そして、本発明に従って、蓋体Ａの天板１のほぼ中央に、直径方向に延びる直線状の切線２が設けられ、その切線２の両側に、端部が切線２至近に存在するコ字形又はＣ字形の切線３，３´により形成された一対のフラップ４，４´が設けられている。好ましい実施の形態においては、各フラップ４，４´の上面に所要の高さを持って突出する凸部５，５´が形成されている。
【００２２】
上記凸部５，５´が形成された天板１は、好ましくは蓋体Ａの周壁６の上端部から適宜の深さに凹ませてあり、その周壁６の内側に折曲げ破断開封式の包装体を収容できる収容空間７が形成されている。このような蓋体は、同店舗の商品引渡し口の付近などに堆積して備蓄される。
【００２３】
図３のＢは、既製の折曲げ破断開封式の包装体の一例である。この包装体Ｂは、硬質合成樹脂などで作られた基板８の一方の面に、複数箇所に凹部を形成された可撓性樹脂シート９の周縁を溶着等により接合して、シートの凹部において基板８とともに袋１０を形成し、その袋の中に飲食物用の添加物を収容してなるものであり、基板のほぼ中央部に破断線１１が設けられているのが通例である。基板の一方の面側のほぼ中央において破断線１１の両側に、互いに対向する三角錐状の破断促進用突起１２が設けられる場合もある。
しかし、折曲げ破断開封式の包装体は、図示の例に限らず、収容空間７に収容可能ならば、既知の任意の形状及び付加構成を有するものでも良い。
【００２４】
そして、本発明に適用するため、基板８の他方の面に少なくとも蓋体Ａの左右の凸部５，５´の上面の面積及び間隔と等しい面積及び間隔を持って粘着剤（図示せず）が塗布され、その粘着剤は隔離シート１３を添着して被覆されている。好ましくは、この剥離シート１３は、基板の一端から外側に延出されており、その延出部分を指先で摘んで基板から遠ざけると、剥離シートを取り去って粘着剤を露出することができるようになっている。  
【００２５】
このような折曲げ破断開封式の包装体は、種類の異なる添加物を収容した各種のものが飲食物の店舗などの冷蔵庫などに多数用意される。
従って、客から特定の飲食物の注文を受けた時に、冷蔵庫等から客の希望する種類の添加物を収容している包装体Ｂを取り出し、図３に鎖線で示すようにはくりシート１３を取り除き、図４及び図５に示すように、その包装体Ｂを蓋体Ａの収容空間７に、基板８を下側にして収容し、粘着剤の部分をフラップ４，４´の凸部５，５´の上面に押し当てて包装体Ｂをその蓋体に固定する。この場合、基板８の幅方向両端縁（破断線と直交する側の端縁）と蓋体Ａの周壁６との間に指先を挿入できる程度の隙間ができるように、基板８の大きさが設定されていることが望ましい。
【００２６】
こうして、包装体Ｂが収容された蓋体Ａを飲食物が入った容器本体Ｃに被着して引き渡された客は、図６に示すように、包装体Ｂの基板８の両側端縁に例えば親指１４と人差し指１５の先端を引っ掛け、そのまま引き上げながら両指先を接近させると、包装体Ｂの基板８が破断線１１においてＶ字形に折曲げられ、その時、蓋体Ａの天板１のフラップ４に設けてある凸部５，５´も一緒に引き上げられる。そして、Ｖ字形に折曲げられた先端部分が天板１の切線２部分を下方に押し下げて、切線に沿って開口させると同時に、包装体Ｂの基板８が破断線に沿って開封されるため、基板のＶ字形折曲げに伴い押圧されて加圧された袋１０内の添加物が天板の開口部分から容器本体Ｃの中に噴出又は注出される。すなわち、蓋体Ａを容器本体Ｃから取り外さずに、単に基板８を引起こし折曲げる連続動作（ワンアクション）だけで添加物を飲食物に加えることができる。
【００２７】
基板８のＶ字形の折曲げ量の加減により、添加物の注出量を加減することができる点は、折曲げ破断開封式の包装体の特長として知られている。そして、蓋体Ａのフラップ４，４´を形成する切線３，３´の端部から切線２までの距離、あるいは天板１の肉厚を適宜設定して、フラップ４，４´に所要の弾性を具備させることより、添加物注出後に指を基板８から放した時、フラップ４，４´の弾性復元力によりフラップ４，４´及び基板５，５´をできるだけ原状に近い位置まで復帰させることが可能である。このように、フラップ４，４´及び基板５，５´を原状に近い位置まで復帰させると、添加物を添加した後に蓋付きの容器を揺らして飲食物と添加物を混合する際に、飲食物の天板１上への溢出を最小限に又は無にすることができる。また、包装体Ｂを装着した蓋体Ａの外観の向上を図ることができる。
【００２８】
図示され、上述された蓋体Ａは単なる一例であり、とくに周壁の形状は円形に限らず、矩形その他任意の形状とすることができる。天板１の切線２は、後述される包装体ＢのＶ字形折曲げ時にその屈曲部先端から加えられる力により切開される弱め線で代えることもできる。また、包装体Ｂの基板８をＶ字形に折曲げ、破断開封する時にその破断部分から添加物を容器本体Ｃの中に注出させるには、天板１には切線２に代えて、スリットを設けても良いことは、多言を要しない。特許請求の範囲の「切線等」の用語は、これらの切線、弱め線、スリットを含むものである。また、フラップ４，４´を形成する切線３，３´は図示のようなコ字形のほか、Ｃ字形、Ｗ字形あるいはチューリップの花の形など、客の好みに合わせて任意の形状とすることができる。
【００２９】
包装体Ｂを蓋体Ａのフラップ４，４´に固定する手段方法は、上記の化学的方法のほかに、物理的又は機械的方法によることが可能である。例えば、図６及び図７に例示するように、凸部５，５´を基板８の幅よりも若干大きく形成し、その凸部の両端部の上面に互いに対向して突出する係止部５ａ，５ａ´を設け、その係止部に包装体の基板の互いに反対側の端縁を差し込み又は押し込みなどにより嵌合して係止することにより、簡単に固定する構造を採用することできる。
【００３０】
さらに、蓋体Ａには、天板１の収容空間７に収容された包装体Ｂにより隠蔽されてない位置に、ストローの先端で押すことにより開口され、ストロー挿入口となるＣ字形の切線１６を設けると客に便利である。ストロー挿入口は周壁６に設けてもよい。
【００３１】
以上の説明では、蓋体Ａが、包装体Ｂから独立してこれとは別体に形成されたが、本発明の課題を解決する別の形態として、蓋体の生産過程において又は生産後に（飲食物提供場所と異なる場所で）、図５に示すように、蓋体Ａの収容空間７に包装体Ｂを収容し、凸部５，５´を基板８に溶着、接着又は係止などにより固定して、包装体付き蓋体として完成し、これを飲食物提供場所に供給することもできる。このような包装体付き蓋体は、包装体Ｂを予め一体的に備えているので、店舗では、客の注文に応じた飲食物を入れた容器本体Ｃに客の求める種類の添加物を収容している包装体付き蓋体を装着するだけで迅速に客の注文に対応することができる。従来のように、容器に蓋を閉めて渡すほかに、所定の添加物を収容する包装体を付け加える必要がない。
【産業上の利用可能性】
【００３２】
本発明は、コップの蓋体に限らず、ファストフードその他の飲食物を収容する各種の大きさの容器に用いられる蓋体に適用可能である。また、包装体もＶ字形に折り曲げて内容物の注出を行うものであれば、その形状構造は不問である。
【図面の簡単な説明】
【００３３】
【図１】本発明に係る蓋体の一例の平面図。
【図２】図１のＸ−Ｘ線断面図。
【図３】折曲げ破断開封式の包装体の一例の正面図。
【図４】図１の蓋体に折曲げ破断開封式の包装体を装着した状態の平面図。
【図５】図４のＹ−Ｙ線断面図。
【図６】折曲げ破断開封式の包装体から添加物を注出する時の作用を示す断面図。
【図７】本発明のさらに他の実施例を示す平面図。
【図８】図７のＺ−Ｚ線断面図。
【符号の説明】
【００３４】
Ａ        蓋体
１        天板
２        切線
３，３´  切線
４，４´  フラップ
５，５´  凸部
７        収容空間
Ｂ        包装体
８        基板
９        可撓性合成樹脂シート
１０      袋
１１      破断線
Ｃ        容器本体
【図１】
2005047539.tif 000003
【図２】
2005047539.tif 000004
【図３】
2005047539.tif 000005
【図４】
2005047539.tif 000006
【図５】
2005047539.tif 000007
【図６】
2005047539.tif 000008
【図７】
2005047539.tif 000009
【図８】
2005047539.tif 000010